【手続補正書】
【提出日】平成16年9月29日(2004.9.29)
【手続補正１】
【補正対象書類名】明細書
【補正対象項目名】発明の名称
【補正方法】変更
【補正の内容】
【発明の名称】撮像装置、映像データ処理装置、及び映像データ処理方法
【手続補正２】
【補正対象書類名】明細書
【補正対象項目名】特許請求の範囲
【補正方法】変更
【補正の内容】
【特許請求の範囲】
【請求項１】
撮像手段と、
前記撮像手段により撮影された映像データに対して撮影位置を示す撮影位置情報を付加して記録する記録手段と、
前記複数の映像データに付加された位置情報の中から基準点を決定する決定手段と、
前記決定手段により決定された基準点と前記記録手段に記録された各映像データの位置情報との間の距離をそれぞれ検出し、前記距離が予め設定された閾値よりも小さい映像データを同一のグループに分類する分類手段とを備えることを特徴とする撮像装置。
【請求項２】
複数の映像データと、前記複数の映像データの撮影位置を示す位置情報とを記録した記録手段と、
前記映像データの撮影予定位置を任意に設定する設定手段と、
前記設定手段により設定された撮影予定位置と前記記録手段に記録された各映像データの位置情報との間の距離をそれぞれ検出し、前記距離が予め設定された閾値よりも小さい映像データを同一のグループに分類する分類手段とを備えることを特徴とする映像データ処理装置。
【請求項３】
前記設定手段は複数の前記撮影予定位置を含む予定経路を設定可能であり、前記分類手段は前記映像データを前記撮影予定位置毎のグループに分類することを特徴とする請求項２記載の映像データ処理装置。
【請求項４】
前記分類手段は更に、前記映像データが前記設定手段により設定された複数の撮影予定位置毎のグループの何れにも分類されない場合、前記位置情報が二つの前記撮影予定位置の間の経路上にあるか否かを判別し、前記経路上にあると判別した映像データを一つのグループに分類することを特徴とする請求項３記載の映像データ処理装置。
【請求項５】
記録手段に記録された複数の映像データを、前記複数の映像データの撮影位置を示す位置情報に基づいてグループに分類する方法であって、
前記映像データの撮影予定位置を任意に設定する設定工程と、
前記設定された撮影予定位置と前記記録手段に記録された各映像データの位置情報との間の距離をそれぞれ検出し、前記距離が予め設定された閾値よりも小さい映像データを同一のグループに分類する分類工程とを備えることを特徴とする映像データ処理方法。
【手続補正３】
【補正対象書類名】明細書
【補正対象項目名】０００１
【補正方法】変更
【補正の内容】
【０００１】
【発明の属する技術分野】
本発明は、撮像装置、映像データ処理装置、及び映像データ処理方法に関し、特に、デジタル撮影記録装置により画像を撮影し記録した後のコンテンツ管理において、ユーザの実作業を軽減する場合に好適な撮像装置、映像データ処理装置、及び映像データ処理方法に関する。
【手続補正４】
【補正対象書類名】明細書
【補正対象項目名】０００５
【補正方法】変更
【補正の内容】
【０００５】
本発明は、上述した点に鑑みなされたものであり、ユーザによる被写体の撮影に基づく映像データに対して位置情報によるグルーピングを自動で行うことにより、ユーザがコンテンツ管理を行う手間を軽減し、作業効率の改善を可能とした撮像装置、映像データ処理装置、及び映像データ処理方法を提供することを目的とする。
【手続補正５】
【補正対象書類名】明細書
【補正対象項目名】０００６
【補正方法】変更
【補正の内容】
【０００６】
【課題を解決するための手段】
上記目的を達成するため、本発明は、撮像手段と、前記撮像手段により撮影された映像データに対して撮影位置を示す撮影位置情報を付加して記録する記録手段と、前記複数の映像データに付加された位置情報の中から基準点を決定する決定手段と、前記決定手段により決定された基準点と前記記録手段に記録された各映像データの位置情報との間の距離をそれぞれ検出し、前記距離が予め設定された閾値よりも小さい映像データを同一のグループに分類する分類手段とを備えることを特徴とする。
【手続補正６】
【補正対象書類名】明細書
【補正対象項目名】０００７
【補正方法】変更
【補正の内容】
【０００７】
また、本発明は、記録手段に記録された複数の映像データを、前記複数の映像データの撮影位置を示す位置情報に基づいてグループに分類する方法であって、前記映像データの撮影予定位置を任意に設定する設定工程と、前記設定された撮影予定位置と前記記録手段に記録された各映像データの位置情報との間の距離をそれぞれ検出し、前記距離が予め設定された閾値よりも小さい映像データを同一のグループに分類する分類工程とを備えることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
【発明の実施の形態】
先ず、本発明の概要を説明する。本発明の撮像装置としての映像撮影記録装置は、撮影・記録したデジタルデータの付加情報を利用してコンテンツのグルーピングを行うものであり、従来の映像撮影記録装置の構成に加え、位置情報を取得するための位置情報取得機能、位置情報に応じた分類を行うための位置情報自動分類機能、ユーザが撮影を行う予定経路を予め設定するための予定経路設定機能、ユーザが設定した予定経路情報と撮影地点の位置情報とを比較し分類するための比較分類機能、及び、分類されたグループに新たにグループ名を付加するためのユーザインタフェース機能を具備したものである。以下、本発明の実施の形態を図面に基づいて詳細に説明する。
【手続補正９】
【補正対象書類名】明細書
【補正対象項目名】００１２
【補正方法】変更
【補正の内容】
【００１２】
更に詳述すると、映像撮影記録装置２００において、制御部２１０が各処理部を制御し、撮像部２０８によって取得されたデジタルデータを画像処理部２０３に転送し加工圧縮する。また、制御部２１０が各処理部を制御し、画像処理部２０３が加工圧縮したデータを着脱可能記録部２０４に転送し、着脱可能記録部２０４に記録する。また、位置情報取得部２０７が、位置情報取得部２０７から位置情報を、画像処理部２０３から画像情報を、制御部２１０から時間情報と撮影者情報を各々取得し、制御部２１０によって撮影画像データに取得した情報を付加する。ここで、位置情報を取得するための位置情報取得部２０７は、具体的にはＧＰＳ（Global Positioning System）であってもよい。また、外部機器と通信部２０１及び通信補助部２０２を介して通信することによって、外部機器より位置情報を取得してもよい。
【手続補正１０】
【補正対象書類名】明細書
【補正対象項目名】００１３
【補正方法】変更
【補正の内容】
【００１３】
また、付加された緯度／経度によって表される位置情報を利用してグルーピングする処理は、グループ情報管理部２０６によって行う。グループ情報管理部２０６は、位置情報取得部２０７によって取得される位置情報を利用して、着脱可能記録部２０４に記録されている撮影データのグルーピングを撮影毎に行う。グルーピングの分類手法としては、最短距離法、最尤法、他緩法など様々なアルゴリズムが考えられるが、その実現手段としてはどのようなアルゴリズムを用いてもよい。本実施形態では、単純なアルゴリズムによる分類を下記の図２のフローチャートに基づいて後述する。
【手続補正１１】
【補正対象書類名】明細書
【補正対象項目名】００２１
【補正方法】変更
【補正の内容】
【００２１】
本実施形態では、ユーザが予定経路情報を予め設定することで位置情報によるグルーピングを行う。映像撮影記録装置２００において、予定経路情報の設定は、操作部２１１と表示部２０５によって行う。ユーザは表示部２０５に表示される画面である図３に示すメニュー（「モード設定」、「予定経路設定」、「時間設定」）から、「予定経路設定」を操作部２１１によって選択する。次に、ユーザは表示部２０５に表示される次画面である図４において、地名、緯度、経度を操作部２１１によって入力する。設定された予定経路は図５に示すように表示される。設定された予定経路情報はメモリ２０９に記憶される。
【手続補正１２】
【補正対象書類名】明細書
【補正対象項目名】００２２
【補正方法】変更
【補正の内容】
【００２２】
ここで、映像撮影記録装置２００が地理データベースをメモリ２０９に保持していた場合には、ユーザは表示部２０５に表示される画面である図４において地理名のみを入力するだけで、自動的に、即ち制御部２１０が地理名から緯度経度情報に変換し予定経路情報として保持することにより、地理名による予定経路情報の設定を行うことができる。また、外部機器、例えばＰＣやＰＤＡ等が地理データベースを保持しており、図４に示すような経路設定のためのインタフェースを具備している場合には、映像撮影記録装置２００の通信部２０１により上記ＰＣ、ＰＤＡ等から予定経路情報を受信し、メモリ２０９に記録することで、外部機器による予定経路の設定を行うことができる。
【手続補正１３】
【補正対象書類名】明細書
【補正対象項目名】００３８
【補正方法】変更
【補正の内容】
【００３８】
【発明の効果】
以上説明したように、本発明によれば、複数の映像データに付加された位置情報の中から決定された基準点と記録手段に記録された各映像データの位置情報との間の距離をそれぞれ検出し、前記距離が予め設定された閾値よりも小さい映像データを同一のグループに分類するため、即ち、ユーザによる被写体の撮影に基づく映像データに対して位置情報によるグルーピングを自動で行うことにより、ユーザがコンテンツ管理を行う手間を軽減することができ、作業効率の改善を期待することができるという効果を奏する。
【手続補正１４】
【補正対象書類名】明細書
【補正対象項目名】符号の説明
【補正方法】変更
【補正の内容】
【符号の説明】
２００  映像撮影記録装置
２０１  通信部
２０２  通信補助部
２０３  画像処理部
２０４  着脱可能記録部（記録手段）
２０５  表示部（設定手段）
２０６  グループ情報管理部（分類手段）
２０７  位置情報取得部
２０８  撮像部（撮像手段）
２０９  メモリ
２１０  制御部（決定手段）
２１１  操作部（設定手段）